(57)【要約】【課題】楽音効果装置に取り付けた状態において、その楽音効果装置の操作子を操作できる誤操作防止具を提供すること【解決手段】誤操作防止具１の保持部１ｂは、その上面が開放されると共に伸縮可能なシリコーンゴムで形成され、更に誤操作防止具１を楽音効果装置２に取り付けた状態において、保持部１ｂの内面とつまみ２ｆ，２ｇの側面との間に、隙間Ｓを有するように形成される。よって、誤操作防止具１を楽音効果装置２に取り付けた状態で、保持部１ｂの上面の開放から隙間Ｓに指を挿入した場合に、隙間Ｓが伸びて広がることで、つまみ２ｆ，２ｇを操作できる。即ち、誤操作防止具１を取り外すことなく、音響効果の設定を迅速かつ容易に変更できると共に、つまみ２ｆ，２ｇの設定状態を適切に保持できる。【選択図】図１
0003217861.tif 000002
【実用新案登録請求の範囲】
【請求項１】
楽音効果装置に取り付けられ、その楽音効果装置の操作子の側面を囲うことで、前記操作子への外部からの接触や衝撃によって前記操作子の設定状態が変更されるのを防ぐ保持部を備えた誤操作防止具であって、
前記保持部は上面が開放されており、前記誤操作防止具を前記楽音効果装置に取り付けた状態において、前記保持部の内面と前記操作子の側面との間に、前記開放された上面から挿入された指によって伸縮し、前記操作子を操作可能に変形する隙間を有するように形成されていることを特徴とする誤操作防止具。
【請求項２】
前記保持部は、前記誤操作防止具を前記楽音効果装置に取り付けた状態において、前記保持部の内面と前記操作子の側面との少なくとも一部が密着するように形成されることで、前記操作子の設定状態を保持できることを特徴とする請求項１に記載の誤操作防止具。
【請求項３】
前記保持部の素材の硬度は、測定規格ＤＩＮ５３−５０５における硬度４５〜５５の範囲であることを特徴とする請求項１又は２に記載の誤操作防止具。
【請求項４】
前記保持部は、シリコーンゴムで形成されることを特徴とする請求項１から３のいずれかに記載の誤操作防止具。
【請求項５】
前記誤操作防止具を前記楽音効果装置に取り付けた場合に、前記保持部は前記操作子よりも高く形成され、前記保持部によって前記操作子の上下方向が囲まれることを特徴とする請求項１から４のいずれかに記載の誤操作防止具。
【考案の詳細な説明】
【技術分野】
【０００１】
本考案は、誤操作防止具に関するものである。
【背景技術】
【０００２】
エレキギターやエレキベース等の電気楽器からの演奏信号に、ディレイやリバーブ等の音響効果を付加して出力するエフェクター（楽音効果装置）が知られている。該エフェクターには、演奏信号に対して音響効果を付与するか否かを切り替える足踏み式のペダルと、そのペダルに隣り合う位置に、音響効果の度合い（ゲイン）や音量等を設定する回転式のつまみ（操作子）とが設けられる。ペダルが演奏者に踏まれている場合は、電気楽器から入力された演奏信号に対し、つまみで設定されている音響効果の度合いや音量等に基づいた音響効果が付加されて出力される。
【０００３】
一連の電気楽器の演奏においては、音響効果を付加する場合と付加しない場合とがそれぞれ存在するので、演奏者は頻繁にペダルを踏んだり離したりする。ここで、つまみとペダルとは隣り合って設けられているので、演奏者がペダルを踏み損ねたり、演奏者の足がペダル上で滑ったりすると、演奏者の足が直接つまみに接触し、つまみの設定状態が変更されてしまうことがある。非特許文献１には、エフェクターのつまみの側面を囲うことで、外部からの接触や衝撃によって、つまみの設定状態が変更されるのを防ぐ保持部を備えたＳｔｏｍｐＬｏｃｋ（誤操作防止具）が開示されている。
【先行技術文献】
【非特許文献】
【０００４】
【非特許文献１】[平成３０年５月２９日検索]、インターネット＜ＵＲＬ：http://www.digitechjapan.jp/products/OBSCURA/obscura.html＞
【考案の概要】
【考案が解決しようとする課題】
【０００５】
しかしながら、演奏中あるいは演奏の合間に音響効果の度合いや音量等を変更するため演奏者がエフェクターのつまみを再調整することがあるが、ＳｔｏｍｐＬｏｃｋをエフェクターに取り付けた状態では、ＳｔｏｍｐＬｏｃｋの保持部とエフェクターのつまみとの隙間が小さく、更に該保持部が硬質な素材で形成されているので、つまみを操作できないという問題点があった。
【０００６】
本考案は、上記問題点を解決するためになされたものであり、楽音効果装置に取り付けた状態において、その楽音効果装置の操作子を操作できる誤操作防止具を提供することを目的としている。
【課題を解決するための手段】
【０００７】
この目的を達成するために本考案の誤操作防止具は、楽音効果装置に取り付けられ、その楽音効果装置の操作子の側面を囲うことで、前記操作子への外部からの接触や衝撃によって前記操作子の設定状態が変更されるのを防ぐ保持部を備えたものであって、前記保持部は上面が開放されており、前記誤操作防止具を前記楽音効果装置に取り付けた状態において、前記保持部の内面と前記操作子の側面との間に、前記開放された上面から挿入された指によって伸縮し、前記操作子を操作可能に変形する隙間を有するように形成されている。
【図面の簡単な説明】
【０００８】
【図１】（ａ）は、第１実施形態における誤操作防止具の斜視図であり、（ｂ）は、誤操作防止具を楽音効果装置に取り付けた状態の斜視図であり、（ｃ）は、その上面図であり、（ｄ）は、図１（ｃ）のＩｄ−Ｉｄ線における断面図である。
【図２】（ａ）は、第２実施形態における誤操作防止具の斜視図であり、（ｂ）は、誤操作防止具を楽音効果装置に取り付けた状態の斜視図であり、（ｃ）は、その上面図であり、（ｄ）は、図２（ｃ）のＩＩｄ−ＩＩｄ線における断面図である。
【図３】（ａ）〜（ｄ）は、変形例における誤操作防止具を楽音効果装置に取り付けた状態での断面図である。
【考案を実施するための形態】
【０００９】
以下、好ましい実施例について、添付図面を参照して説明する。図１（ａ）は、第１実施形態における誤操作防止具１の斜視図であり、図１（ｂ）は、誤操作防止具１を楽音効果装置２に取り付けた状態の斜視図であり、図１（ｃ）は、その上面図であり、図１（ｄ）は、図１（ｃ）のＩｄ−Ｉｄ線における断面図である。
【００１０】
誤操作防止具１は、後述の楽音効果装置２に取り付けられ、楽音効果装置２のつまみ２ｅ〜２ｇの側面を囲むことで、つまみ２ｅ〜２ｇの設定状態を保持する器具である。図１（ａ）に示すように、誤操作防止具１は、その底面を形成する底面部１ａと、該底面部１ａ上に形成され、つまみ２ｅ〜２ｇの側面を囲い、つまみ２ｅ〜２ｇの設定状態を保持する保持部１ｂとを有して形成される。また、保持部１ｂは、その上面が開放されている。
【００１１】
次に、かかる誤操作防止具１が取り付けられる、楽音効果装置２について説明する。楽音効果装置２は、エレキギター等の電気楽器から入力された演奏信号に、ディレイ等の音響効果を付加して出力する装置である。図１（ｂ）及び図１（ｃ）に示すように、楽音効果装置２は、筐体２ａを有し、その筐体２ａの右側面と左側面とには、演奏信号が入力される入力端子２ｂと、該入力端子２ｂからの演奏信号に、音響効果を付加した演奏信号が出力される出力端子２ｃとが設けられる。
【００１２】
筐体２ａの上面側には、音響効果を付加するか否かを切り替える足踏み式のペダル２ｄと、つまみ２ｅ〜２ｇとが隣り合って設けられる。つまみ２ｅは、演奏者による演奏中には操作されない、音響効果のモードが設定される操作子であり、つまみ２ｆ，２ｇは、演奏中に操作され得る、音響効果の度合いや音量等が設定される操作子である。
【００１３】
誤操作防止具１は、かかる楽音効果装置２に取り付けられ、つまみ２ｅ〜２ｇの側面を保持部１ｂの内面で囲むことで、つまみ２ｅ〜２ｇの設定状態が保持される。このうち、演奏者による演奏中には操作されない、つまみ２ｅに対する保持部１ｂは、その内面がつまみ２ｅの側面形状と一致するように形成される。これにより、誤操作防止具１を楽音効果装置２に取り付けた場合、保持部１ｂによって、つまみ２ｅの側面全体を囲むことができるので、つまみ２ｅの設定状態を適切に保持できる。
【００１４】
一方で、演奏中に操作され得るつまみ２ｆ，２ｇに対する保持部１ｂは、誤操作防止具１を楽音効果装置２に取り付けた状態において、保持部１ｂの内面とつまみ２ｆ，２ｇの側面との間に、隙間Ｓを有するように形成される。以下、図１（ｄ）を参照して、つまみ２ｆに対する保持部１ｂの構造に対して説明を行うが、つまみ２ｇに対する保持部１ｂの構造についても同様なので、その説明は省略する。
【００１５】
図１（ｄ）に示すように、つまみ２ｆの側面形状は、下部の張出部２ｆ１から上方にかけて径が小さくなるように形成されている。そして、このつまみ２ｆを囲う保持部１ｂの内面の径が、張出部２ｆ１の径と一致するように設定される。これによって、誤操作防止具１を楽音効果装置２に取り付けた状態では、つまみ２ｆの張出部２ｆ１よりも上方部と、保持部１ｂの内面との間に隙間Ｓが形成される。更にこの隙間Ｓは、つまみ２ｆ，２ｇに指を挿入できる幅に形成されるので、誤操作防止具１を楽音効果装置２に取り付けた状態でも、保持部１ｂの開放から隙間Ｓに指を挿入することで、つまみ２ｆを操作できる。即ち、電気楽器を演奏中であっても、誤操作防止具１を取り外すことなく、音響効果の設定を迅速かつ容易に変更できる。
【００１６】
また、誤操作防止具１は、その全体がシリコーンゴムで形成され、その硬度は、測定規格ＤＩＮ５３−５０５における「硬度４５〜５５」とされる。即ち、誤操作防止具１、特に保持部１ｂは伸縮可能に形成される。よって、隙間Ｓに指が挿入された場合、隙間Ｓが伸びて広がることで、つまみ２ｆを容易に操作できる。
【００１７】
一方で、図１（ｄ）に示すように、誤操作防止具１を楽音効果装置２に取り付けた状態では、保持部１ｂの内面と、つまみ２ｆにおける下部の張出部２ｆ１とが密着しているので、保持部１ｂによって、つまみ２ｆの設定状態を適切に保持することができる。
【００１８】
また、図１（ｄ）に示すように、誤操作防止具１を楽音効果装置２に取り付けた場合に、保持部１ｂの高さが、つまみ２ｆの高さより高く形成される。これにより、保持部１ｂによって、つまみ２ｆの上端を保護できるので、演奏者の足がペダル２ｄを踏み損ね、つまみ２ｆの方向に向かっても、演奏者の足がつまみ２ｆに直接接触し、つまみ２ｆの設定状態が変更されるのを防止できる。
【００１９】
次に、図２を参照して、第２実施形態について説明する。上述した第１実施形態では、隙間Ｓを、つまみ２ｆ，２ｇの側面における上部と保持部１ｂの内面との間に形成し、該隙間Ｓに指を挿入することで、つまみ２ｆ，２ｇを操作可能とした。これに対して第２実施形態では、隙間Ｔを、並べて設けられるつまみ２０ｅ〜２０ｈの間に形成し、該隙間Ｔに指を挿入することで、つまみ２０ｅ〜２０ｈを操作可能としている。上述した第１実施形態と同一の部分については、同一の符号を付し、その説明は省略する。
【００２０】
図２（ａ）は、第２実施形態における誤操作防止具１０の斜視図であり、図２（ｂ）は、誤操作防止具１０を楽音効果装置２０に取り付けた状態の斜視図であり、図２（ｃ）は、その上面図であり、図２（ｄ）は、図２（ｃ）のＩＩｄ−ＩＩｄ線における断面図である。
【００２１】
誤操作防止具１０は、後述の楽音効果装置２０に取り付けられ、楽音効果装置２０のつまみ２０ｅ〜２０ｈの側面を囲むことで、つまみ２ｅ〜２ｇの設定状態を保持する器具である。図２（ａ）に示すように、誤操作防止具１０には、底面部１ａ上に形成され、後述のつまみ２０ｅ〜２０ｈの側面を囲い、つまみ２０ｅ〜２０ｈの設定状態を保持する保持部１０ｂを有して形成される。また、保持部１０ｂは、その上面が開放されている。
【００２２】
図２（ｂ）及び図２（ｃ）に示すように、誤操作防止具１０が取り付けられる、楽音効果装置２０の筐体２ａにおける上面側には、回転式の操作子である、つまみ２０ｅ〜２０ｈが並べて設けられる。
【００２３】
誤操作防止具１０の保持部１０ｂは、誤操作防止具１０を楽音効果装置２に取り付けた状態において、並べて設けられるつまみ２０ｅ〜２０ｈのそれぞれの間に、これらを指で操作可能な隙間Ｔを有するように形成される。隙間Ｔはまた、少なくともつまみ２０ｅ〜２０ｈの上部に形成されるので、誤操作防止具１０を楽音効果装置２０に取り付けた状態でも、保持部１０ｂの上方の開放から隙間Ｔに指を挿入することで、つまみ２０ｅ〜２０ｈを操作できる。
【００２４】
また、図２（ｄ）に示すように、つまみ２０ｅ〜２０ｈの側面は、上下方向に亘って略同一の径で形成され、保持部１ｃの内面は、つまみ２０ｅ〜２０ｈの側面形状に一致するように形成される。即ち、つまみ２０ｅ〜２０ｈのそれぞれの間が隙間Ｔとなる。よって、隙間Ｔが非形成である部分においては、つまみ２０ｅ〜２０ｈの側面と保持部１０ｂの内面とが、上下方向に亘って密着しているので、つまみ２０ｅ〜２０ｈの設定状態を適切に保持することができる。
【００２５】
更に、図２（ｄ）に示すように、誤操作防止具１０を楽音効果装置２０に取り付けた場合に、保持部１０ｂの高さが、つまみ２０ｅ〜２０ｈの高さより高く形成される。従って、保持部１０ｂにより、つまみ２０ｅ〜２０ｈの上端を保護できるので、演奏者の足がペダル２ｄを踏み損ね、つまみ２０ｅ〜２０ｈの方向に向かっても、演奏者の足がつまみ２０ｅ〜２０ｈに接触することを防止できる。
【００２６】
以上、上記実施形態に基づき説明したが、種々の改良変更が可能であることは容易に推察できるものである。
【００２７】
上記第１実施形態では、保持部１ｂの側面視における内面の径を、つまみ２ｆの側面視における下部の張出部２ｆ１の径と略同一となるように形成し、誤操作防止具１を楽音効果装置２に取り付けた場合に、保持部１ｂの内面と張出部２ｆ１とが密着する構成とした。しかし、必ずしもこれに限られるものではなく、例えば、図３（ａ）の誤操作防止具１’に示すように、保持部１ｂ’の内面の径が、つまみ２ｆの側面形状と一致するように形成しても良い。このように形成することで、誤操作防止具１’を楽音効果装置２に取り付けた場合に、保持部１ｂ’がつまみ２ｆの側面の全体に密着しているので、つまみ２ｆをより強固に保持できる。
【００２８】
また、図３（ｂ）の誤操作防止具１’’に示すように、誤操作防止具１’’を楽音効果装置２に取り付けた場合に、つまみ２ｆの上部と、保持部１ｂ’’との間に隙間Ｓ’を形成し、該隙間Ｓ’の下方においては、保持部１ｂ’’の内面とつまみ２ｆの側面とが密着するように形成しても良い。このように形成することで、隙間Ｓ’に指を挿入することで、つまみ２ｆを容易に操作できる。また、隙間Ｓ’の下方においては、保持部１ｂ’’とつまみ２ｆの側面とが密着しているので、保持部１ｂ’’によってつまみ２ｅを適切に保持できる。
【００２９】
上記実施形態では、保持部１ｂ，１０ｂの内面と、つまみ２ｆ，２０ｆとが、１の面によって密着する構成とした。しかし、必ずしもこれに限られるものではなく、例えば、図３（ｃ）の誤操作防止具１０’に示すように、誤操作防止具１０’を楽音効果装置２０に取り付けた場合に、保持部１０ｂ’の内面が、つまみ２０ｆの側面の中間部と下部との、２の面で密着するように形成しても良い。このように形成することで、保持部１０ｂ’の上部または下部に演奏者の足が接触し、保持部１０ｂ’の上部または下部が変形しても、保持部１０ｂ’の内面と、つまみ２０ｆの側面の下部または中間部のいずれかとが密着した状態を保つことができるので、つまみ２０ｆの設定状態を適切に保持できる。
【００３０】
上記第１実施形態においては、つまみ２ｅに対する保持部１ｂの内面を、つまみ２ｅの側面形状と一致するように形成した。しかし、必ずしもこれに限られるものではなく、つまみ２ｅの保持部１ｂに対しても、つまみ２ｆ，２ｇの保持部１ｂと同様に、保持部１ｂの内面とつまみ２ｅの側面との間に、隙間Ｓを有するように形成しても良い。
【００３１】
上記実施形態においては、誤操作防止具１，１０をシリコーンゴムに形成した。しかしながらこれに代えて、誤操作防止具１，１０を合成ゴムやスポンジゴム等の伸縮可能な素材を用いて形成しても良い。
【００３２】
また、上記実施形態においては、誤操作防止具１，１０の全体を同一の硬度のシリコーンゴムで形成する構成としたが、保持部１ｂ，１０ｂと、底面部１ａとを、異なる硬度のシリコーンゴムで形成する構成としても良い。この場合、底面部１ａに対して、保持部１ｂ，１０ｂよりも硬度の高いシリコーンゴムで形成することで、誤操作防止具１，１０を楽音効果装置２に取り付け易くできる。また、誤操作防止具１，１０の保持部１ｂ，１０ｂをシリコーンゴムで形成し、底面部１ａをプラスチック等、保持部１ｂ，１０ｂとは異なる素材で形成しても良い。
【００３３】
上記実施形態に挙げた数値は一例であり、他の数値を採用することは当然可能である。
【符号の説明】
【００３４】
１，１０                      誤操作防止具
２，２０                      楽音効果装置
１ｂ，１０ｂ                  保持部
２ｆ，２ｇ，２０ｅ〜２０ｈ    つまみ（操作子）
Ｓ，Ｔ                        隙間
【図１】
0003217861.tif 000003
【図２】
0003217861.tif 000004
【図３】
0003217861.tif 000005